(57)【要約】【課題】焦点距離調整式液晶レンズ装置の提供。【解決手段】少なくとも一つの液晶モジュール、一対の配向層（Alignment Layer)、一対のＩＴＯ導電層及び第１レンズと第２レンズを包含し、そのうち、該液晶モジュールの両側にＩＴＯ導電層と配向層が結合され、該ＩＴＯ導電層は該配向層上にコーティング形成され、且つ二つのＩＴＯ導電層の間に電源が供給されて、該電源の電圧の改変により液晶モジュールの屈折率と焦点距離倍率が調整され、該第１レンズと第２レンズは球面レンズ或いは非球面レンズとされ、且つそれぞれ該ＩＴＯ導電層に結合され、該第１レンズが撮像した像を液晶モジュールに導入し、液晶モジュールの屈折率と焦点距離倍率調整を経て、並びに該第２レンズを通して成像し、こうしてレンズが一体とされ、焦点距離を調整可能な焦点距離調整式液晶レンズ装置が提供される。【選択図】図１
0003139535.tif 000002
【実用新案登録請求の範囲】
【請求項１】
焦点距離調整式液晶レンズ装置において、
内部に液晶が注入、密封された少なくとも一つの液晶モジュールと、
該液晶モジュールの両側にそれぞれ結合された少なくとも一対の配向層と、
少なくとも一対のＩＴＯ導電層であって、それぞれ該配向層に結合され、該ＩＴＯ導電層が第１電極及び第２電極に接続され、該第１電極及び第２電極が電源供給ユニットに接続され、該電源供給ユニットが異なる電圧の電源を供給することで、二つの該ＩＴＯ導電層がそれぞれ該配向層を通して異なる直流電圧を該液晶モジュールに印加して該液晶モジュールの屈折率と焦点距離倍率を制御する、上記少なくとも一対のＩＴＯ導電層と、
該ＩＴＯ導電層の表面に接合されて対物レンズを形成し、物像を該液晶モジュール内に取り込む、少なくとも一つの第１レンズと、
もう一つの該ＩＴＯ導電層の表面に接合されて接眼レンズを形成し、該液晶モジュール内の撮影画像を成像する、少なくとも一つの第２レンズと、
を包含したことを特徴とする、焦点距離調整式液晶レンズ装置。
【請求項２】
請求項１記載の焦点距離調整式液晶レンズ装置において、該ＩＴＯ導電層が該配向層の内表面にコーティングにより結合されたことを特徴とする、焦点距離調整式液晶レンズ装置。
【請求項３】
請求項１記載の焦点距離調整式液晶レンズ装置において、該ＩＴＯ導電層の内層に該配向層がコーティングにより結合されたことを特徴とする、焦点距離調整式液晶レンズ装置。
【請求項４】
請求項１記載の焦点距離調整式液晶レンズ装置において、該ＩＴＯ導電層の第１電極と第２電極が接続された電源供給ユニットがデジタルカメラの撮影制御回路とされたことを特徴とする、焦点距離調整式液晶レンズ装置。
【請求項５】
請求項１記載の焦点距離調整式液晶レンズ装置において、該ＩＴＯ導電層の第１電極と第２電極が接続された電源供給ユニットがカメラ付き携帯電話の撮影制御回路とされたことを特徴とする、焦点距離調整式液晶レンズ装置。
【請求項６】
請求項１記載の焦点距離調整式液晶レンズ装置において、該第１レンズが透明接着剤で該ＩＴＯ導電層に接着されたことを特徴とする、焦点距離調整式液晶レンズ装置。
【請求項７】
請求項１記載の焦点距離調整式液晶レンズ装置において、該第１レンズの内層に該ＩＴＯ導電層がコーティングされたことを特徴とする、焦点距離調整式液晶レンズ装置。
【請求項８】
請求項１記載の焦点距離調整式液晶レンズ装置において、該第１レンズが球面レンズとされたことを特徴とする、焦点距離調整式液晶レンズ装置。
【請求項９】
請求項１記載の焦点距離調整式液晶レンズ装置において、該第１レンズが非球面レンズとされたことを特徴とする、焦点距離調整式液晶レンズ装置。
【請求項１０】
請求項１記載の焦点距離調整式液晶レンズ装置において、該第２レンズが透明接着剤で該ＩＴＯ導電層に接着されたことを特徴とする、焦点距離調整式液晶レンズ装置。
【請求項１１】
請求項１記載の焦点距離調整式液晶レンズ装置において、該第２レンズの内層に該ＩＴＯ導電層がコーティングされたことを特徴とする、焦点距離調整式液晶レンズ装置。
【請求項１２】
請求項１記載の焦点距離調整式液晶レンズ装置において、該第２レンズが球面レンズとされたことを特徴とする、焦点距離調整式液晶レンズ装置。
【請求項１３】
請求項１記載の焦点距離調整式液晶レンズ装置において、該第２レンズが非球面レンズとされたことを特徴とする、焦点距離調整式液晶レンズ装置。
【請求項１４】
焦点距離調整式液晶レンズ装置において、
内部に液晶が注入、密封された少なくとも一対の液晶モジュールと、
該液晶モジュールの両側にそれぞれ結合された２対の配向層と、
２対のＩＴＯ導電層であって、各対のＩＴＯ導電層が各液晶モジュールの両側の配向層に結合され、該ＩＴＯ導電層は一対の第１電極と一対の第２電極に接続され、該第１電極及び第２電極が電源供給ユニットに接続され、該電源供給ユニットが異なる電圧の電源を供給することで、二対の該ＩＴＯ導電層がそれぞれ該配向層を通して異なる直流電圧を二つの該液晶モジュールに印加して該液晶モジュールの屈折率と焦点距離倍率を制御する、上記２対のＩＴＯ導電層と、
二つの該液晶モジュール間の二つのＩＴＯ導電層の間に結合され、これにより二つの液晶モジュールの間に結合される、少なくとも一つの中央透明基板と、
一つの該液晶モジュールの該ＩＴＯ導電層の表面に接合されて対物レンズを形成し、物像を該液晶モジュール内に取り込む、少なくとも一つの第１レンズと、
もう一つの液晶モジュールの該ＩＴＯ導電層の表面に接合されて接眼レンズを形成し、該液晶モジュール内の撮影画像を成像する、少なくとも一つの第２レンズと、
を包含したことを特徴とする、焦点距離調整式液晶レンズ装置。
【請求項１５】
請求項１４記載の焦点距離調整式液晶レンズ装置において、該ＩＴＯ導電層が該配向層の内表面にコーティングにより結合されたことを特徴とする、焦点距離調整式液晶レンズ装置。
【請求項１６】
請求項１４記載の焦点距離調整式液晶レンズ装置において、該ＩＴＯ導電層の内層に該配向層がコーティングにより結合されたことを特徴とする、焦点距離調整式液晶レンズ装置。
【請求項１７】
請求項１４記載の焦点距離調整式液晶レンズ装置において、該ＩＴＯ導電層の第１電極と第２電極が接続された電源供給ユニットがデジタルカメラの撮影制御回路とされたことを特徴とする、焦点距離調整式液晶レンズ装置。
【請求項１８】
請求項１４記載の焦点距離調整式液晶レンズ装置において、該ＩＴＯ導電層の第１電極と第２電極が接続された電源供給ユニットがカメラ付き携帯電話の撮影制御回路とされたことを特徴とする、焦点距離調整式液晶レンズ装置。
【請求項１９】
請求項１４記載の焦点距離調整式液晶レンズ装置において、該中央透明基板が平面レンズとされたことを特徴とする、焦点距離調整式液晶レンズ装置。
【請求項２０】
請求項１４記載の焦点距離調整式液晶レンズ装置において、該中央透明基板の両側に導電層がコーティングされたことを特徴とする、焦点距離調整式液晶レンズ装置。
【請求項２１】
請求項１４記載の焦点距離調整式液晶レンズ装置において、該第１レンズが透明接着剤で該ＩＴＯ導電層に接着されたことを特徴とする、焦点距離調整式液晶レンズ装置。
【請求項２２】
請求項１４記載の焦点距離調整式液晶レンズ装置において、該第１レンズの内層に該ＩＴＯ導電層がコーティングされたことを特徴とする、焦点距離調整式液晶レンズ装置。
【請求項２３】
請求項１４記載の焦点距離調整式液晶レンズ装置において、該第１レンズが球面レンズとされたことを特徴とする、焦点距離調整式液晶レンズ装置。
【請求項２４】
請求項１４記載の焦点距離調整式液晶レンズ装置において、該第１レンズが非球面レンズとされたことを特徴とする、焦点距離調整式液晶レンズ装置。
【請求項２５】
請求項１４記載の焦点距離調整式液晶レンズ装置において、該第２レンズが透明接着剤で該ＩＴＯ導電層に接着されたことを特徴とする、焦点距離調整式液晶レンズ装置。
【請求項２６】
請求項１４記載の焦点距離調整式液晶レンズ装置において、該第２レンズの内層に該ＩＴＯ導電層がコーティングされたことを特徴とする、焦点距離調整式液晶レンズ装置。
【請求項２７】
請求項１１記載の焦点距離調整式液晶レンズ装置において、該第２レンズが球面レンズとされたことを特徴とする、焦点距離調整式液晶レンズ装置。
【請求項２８】
請求項１４記載の焦点距離調整式液晶レンズ装置において、該第２レンズが非球面レンズとされたことを特徴とする、焦点距離調整式液晶レンズ装置。
【考案の詳細な説明】
【技術分野】
【０００１】
本考案は焦点距離調整式液晶レンズ装置に係り、特に、デジタルカメラ或いは携帯電話のカメラに応用され、レンズを一体に結合してなる単一モジュールを具えた焦点距離調整式液晶レンズ装置に関する。
【背景技術】
【０００２】
周知の機械式焦点距離調整レンズは通常二つの運動アセンブリを包含し、一つは倍率拡大及びフォーカス用の光学アセンブリ、もう一つは小型モータの非線形或いは線形の駆動により移動し焦点距離を変化させる機械アセンブリである。現在、携帯式の電子／通信装置は、有限の応用空間と長さに制限されるため、焦点距離可変レンズは拡大と縮小倍率の間で、あまり大きな距離の移動操作を行なえない。
【０００３】
周知の調整式液晶レンズ（ＴＵＮＡＢＬＥ  ＬＩＱＵＩＤ  ＣＲＹＳＴＡＬ  ＬＥＮＳ）は体積が小さく、重量が軽く、運動アセンブリがなく且つ組立が容易な要求に符合する。
【０００４】
周知の調整式液晶レンズはすでにある程度発展し、応用されており、この調整式液晶レンズは異なる電圧が液晶層の電極に印加されることで、異なる屈折率と焦点距離を発生する。
【０００５】
ただし、上述の調整式液晶レンズは、応用過程で、レンズシステムを組み合わせなければ撮影レンズとして応用できず、通常は複数のレンズを包括し、レンズの材料はプラスチック或いはガラスとされる。並びに、レンズの数量は解析度或いはその他の撮影機能により定まる。最も簡単な撮影応用作用、例えばデジタルカメラ或いは携帯電話のカメラへの応用において、周知の調整式液晶レンズに組み合わせる必要のあるレンズ数量は通常二つ、三つ、或いは四つである。ただし、もし撮影機能を高めた設計とするなら、通常四つより多いレンズが組み合わされて光学撮影の基本的性能要求に符合させられる。
【０００６】
これにより、周知の調整式液晶レンズのモジュール化の製造或いは応用過程にあって、多くの不利な因子があり、例えば複雑なレンズの組立及び製造過程に加え、大量のレンズ部品に組合せによる、調整とアライメントの工程の増加、それによる生産歩留りの不良と生産コストのアップなどがあり、もしデジタルカメラ或いは携帯電話のカメラに焦点距離可変レンズモジュールを組み合わせると、取付はさらに困難で、多くの手間、時間及びコストがかかり、産業上の利用に不利である。
【０００７】
上述の周知の調整式液晶レンズの応用上の別の問題は、液晶材料の優劣が不一致であり、液晶材料の問題により分極（ｐｏｌａｒｉｚａｔｉｏｎ）の欠点を発生し、このため撮像及びキャプチャ品質が影響を受ける。
【０００８】
このほか、先の特許と技術文献として、例えば特許文献１には、電極の電圧を改変して屈折率を改変する技術が記載されている。また、特許文献２−６には、液晶レンズ構造の、凸面或いは凹面のベース層と異なる印加電圧により焦点距離を発生する技術が記載されている。また、非特許文献１には同じ技術が記載されている。
【０００９】
特許文献７には、１系列の透過電極及びこれらの電極により形成される焦点距離調整式液晶レンズ装置が記載されている。その他、非特許文献２にはＩＴＯ電極を異なる２辺の基層上にめっきし、異なる焦点距離取得の効果を達成する技術が開示されている。
【００１０】
特許文献８、特許文献９には新たな方法が記載され、それによると、液晶層中にある材料が増加されてこれにより曲面の液晶レンズ基層が補償される。
【００１１】
特許文献１０−１４には液晶ドロップレット（ｄｒｏｐｌｅｔｓ）を構成する方法が開示されるが、レンズの応用技術に関するものではない。
【００１２】
特許文献１５には同じ性質のドロップレットが非常に小さい波長を具備することが記載され、且つ光を拡散させず可視光を透過しない。特許文献１６には、樹脂とコレステリック液晶材料混合物で構成した液晶層が記載されているが、それは可視光を反射し得る。
【００１３】
特許文献１７には、調整式液晶レンズが記載されている。即ち一種の典型的な周知のレンズであって、ＩＴＯ電極を凹面或いは凸面形状の基層にコーティングし、並びに異なる電圧をＩＴＯ電極上に印加して液晶レンズの屈折率を形成する。
【００１４】
特許文献１８と特許文献１９にも調整式液晶レンズが開示され、非同類のナノメータレベルのポリマーにより液晶ドロップレットを液晶層中に分散し、並びに紫外線中に露出し、レンズ構造を形成する。並びに異なる電圧を電極に印加し、レンズの屈折率を形成する。
【００１５】
特許文献２０には典型的な周知の、液晶レンズを構成する方法が開示されている。液晶と重合材料を混合し、異なる電圧を電極に印加し、レーザービームを固定エネルギー強度で液晶混合物に照射し、液晶層内で空間を占拠し且つネットワーク構造をなす同じ性質のポリマーを案内する。
【００１６】
非特許文献３には、紫外光でＰＤＬＣに対する加熱処理を行い、必要なレンズ模型を形成し且つ異なる電圧を印加する技術が開示されている。
【００１７】
分極問題を解消するため、特許文献２１には隣り合う層の直交構造が記載されている。
【００１８】
【特許文献１】米国特許第４，０３７，９２７号明細書
【特許文献２】米国特許第４，１９０，３３０号明細書
【特許文献３】米国特許第４，５７２，６１６号明細書
【特許文献４】米国特許第４，７９５，２４８号明細書
【特許文献５】米国特許第５，０４７，８４７号明細書
【特許文献６】米国特許第５，１５０，２３４号明細書
【特許文献７】米国特許第４，５７２，６１２号明細書
【特許文献８】米国特許第５，１２４，８３６号明細書
【特許文献９】米国特許第６，４３７，９２５号明細書
【特許文献１０】米国特許第４，９０７，８６０号明細書
【特許文献１１】米国特許第５，１９９，１８９号明細書
【特許文献１２】米国特許第５，７６４，３１７号明細書
【特許文献１３】米国特許第６，０６１，１０７号明細書
【特許文献１４】米国特許第６，０７２，１０７号明細書
【特許文献１５】米国特許第６，２１８，６７９号明細書
【特許文献１６】米国特許第６，３３１，８８１号明細書
【特許文献１７】米国特許第６，８５９，３３３号明細書
【特許文献１８】米国特許第６，８６４，９５１号明細書
【特許文献１９】米国特許第７，０４２，５４９号明細書
【特許文献２０】米国特許公開第２００５００１８１２７号
【特許文献２１】米国特許第５，０６９，８１３号
【非特許文献１】１９７９年９月  日本応用物理学術月刊  第１８期  第９頁  １６７９−１６８４  佐藤氏による論文
【非特許文献２】２００５年第４４期第１Ａ号  日本応用物理月刊  第２４３−２４４頁  林氏等
【非特許文献３】２００２年６月１５日  光学学術月刊  第２７期  第１２頁  １０２２−１０２４  オリヴァレス−ペレズ氏等
【考案の開示】
【考案が解決しようとする課題】
【００１９】
本考案の主要な目的は、簡単な焦点距離調整式液晶レンズ装置とその製造方法を提供することにある。
【００２０】
本考案の第２の目的は、焦点距離調整式液晶レンズ装置の組立生産を簡易化することにある。
【００２１】
本考案の第３の目的は、組立結合に便利な焦点距離調整式液晶レンズ装置の構造と方式を提供することにある。
【００２２】
本考案の第４の目的は、クリアで細緻な画像を撮像及びキャプチャでき、並びに液晶材料の発生する分極問題を解決した焦点距離調整式液晶レンズ装置を提供することにある。
【課題を解決するための手段】
【００２３】
本考案の焦点距離調整式液晶レンズ装置は、少なくとも一つの液晶モジュール、一対の配向層、一対のＩＴＯ導電層、及び第１レンズと第２レンズを包含し、そのうち、該液晶モジュールの両側にＩＴＯ導電層と配向層が結合され、該ＩＴＯ導電層は該配向層上にコーティング形成され、且つ二つのＩＴＯ導電層の間に電源が供給されて、該電源の電圧の改変により液晶モジュールの屈折率と焦点距離倍率が調整され、該第１レンズと第２レンズは球面レンズ或いは非球面レンズとされ、且つそれぞれ該ＩＴＯ導電層に結合され、該第１レンズが撮像した像を液晶モジュールに導入し、液晶モジュールの屈折率と焦点距離倍率調整を経て、並びに該第２レンズを通して成像し、こうしてレンズが一体とされ、焦点距離を調整可能な焦点距離調整式液晶レンズ装置が提供される。
【考案の効果】
【００２４】
本考案の焦点距離調整式液晶レンズ装置はレンズが一体に複合され組立に便利で製造コストを節約でき、産業上利用できる効果を有する。
【考案を実施するための最良の形態】
【００２５】
図１及び図２は本考案の焦点距離調整式液晶レンズ装置１００の第１実施例を示す。この焦点距離調整式液晶レンズ装置１００は、液晶１１が密封注入された少なくとも一つの液晶モジュール１０、該液晶モジュール１０の両側に結合された少なくとも一対の配向層２０、３０、それぞれ該配向層２０及び３０上に結合された少なくとも一対のＩＴＯ導電層４０及び５０、及び少なくとも一つの第１レンズ６０及び少なくとも一つの第２レンズ７０を包含する。該ＩＴＯ導電層４０及び５０の配向層２０及び３０への結合の方式に制限はなく、本考案中ではＩＴＯ導電層４０及び５０がそれぞれ配向層２０及び３０表面にコーティングされたものを例としている。その他の等価の結合方式と構造は本考案の範疇より逸脱しない。該ＩＴＯ導電層４０及び５０は並びにそれぞれ第１電極４１と第２電極５１に結合され、該第１電極４１と第２電極５１は直流電源供給ユニット２００と接続され、該直流電源供給ユニット２００により異なる電圧の電源が供給され、該直流電源供給ユニット２００はデジタルカメラ内の撮影制御回路或いはカメラ付き携帯電話内の撮影制御回路の如く、二つのＩＴＯ導電層４０及び５０にそれぞれ配向層２０及び３０を通して異なる電圧を液晶モジュール１０に印加させ、該液晶モジュール１０の屈折率と焦点距離倍率を制御し、言い換えると、カメラレンズの明暗、コントラスト及び遠近レンズの焦点距離の制御と同様の機能を具備する。
【００２６】
該少なくとも一つの第１レンズ６０と第２レンズ７０の形式に制限はなく、本考案中では凸レンズとされるが、その他の例えば球面レンズ或いは非球面レンズも本考案の範疇を逸脱しない。該第１レンズ６０及び第２レンズ７０は透明接着剤で該ＩＴＯ導電層４０及び５０の表面に接合され、該第１レンズ６０は対物レンズを形成して物像を該液晶モジュール１０内に導入し、上述のＩＴＯ導電層４０の第１電極４１及びＩＴＯ導電層５０の第２電極５１の印加する直流電源供給ユニット２００からの直流電圧により、該物像を異なる屈折率と焦点距離倍率調整により第２レンズ７０の後ろに成像する。
【００２７】
図３は本考案の焦点距離調整式液晶レンズ装置１００の第２実施例図である。それは、一対の液晶モジュール１０及び１０’、２対の配向層２０及び３０、２対のＩＴＯ導電層４０及び５０、少なくとも一つの中央透明基板８０、第１レンズ６０及び第２レンズ７０を包含する。該液晶モジュール１０及び１０’内に液晶１１が収容され、該２対の配向層２０及び３０はそれぞれ各液晶モジュール１０及び１０’の両側に結合され、該２対のＩＴＯ導電層４０及び５０はそれぞれ該配向層２０及び３０の表面に結合される。該中央透明基板８０の形態に制限はなく、本考案では平面レンズを例とするが、その他の、球面レンズ或いは非球面レンズ等、等価のレンズも本考案の範疇を逸脱しない。該中央透明基板８０の両端は二つの液晶モジュール１０及び１０’両側のＩＴＯ導電層５０に接続され、該中央透明基板８０が二つの液晶モジュール１０及び１０’の間に結合される。
【００２８】
上述の２対のＩＴＯ導電層４０及び５０はそれぞれ一対の第１電極４１及び一対の第２電極５１の接続され、これら２対の第１電極４１と第２電極５１はそれぞれ直流電源供給ユニット３００に接続され、該直流電源供給ユニット３００は異なる電圧を２対のＩＴＯ導電層４０及び５０に供給し、そのプラスマイナス極の接続関係に制限はなく、本考案では一対の第１電極４１が直流電源供給ユニット３００のプラス端に接続され、この一対の第２電極５１が該直流電源供給ユニット３００のマイナス端に接続された例では、該第１電極４１及び第２電極５１を通して異なる電圧が印加されることで、該液晶モジュール１０及び１０’の屈折率と焦点距離倍率が制御される。
【００２９】
該第１レンズ６０は液晶モジュール１０の一端のＩＴＯ導電層４０表面に接続され、その接続方式は透明接着剤による接着とされ、該第２レンズ７０はもう一つの液晶モジュール１０’の一端のＩＴＯ導電層４０の表面に接続されて、第１レンズ６０に対物レンズを形成させ、物像を該液晶モジュール１０に導入し、さらに中央透明基板８０を通してもう一つの液晶モジュール１０’に至らせ、液晶モジュール１０’の一端の第２レンズ７０が接眼レンズの作用を形成し、撮影画像を第２レンズ７０に成像した後、この撮影画像を液晶モジュール１０及び１０’の明るさ、コントラスト及び遠近レンズ焦点距離光学調整及び該中央透明基板８０の光学補償と修正作用を経て、該撮影画像を第２レンズ７０後端に成像させるときの液晶１１材料により発生する分極問題を解消する。
【００３０】
以上の図１から図３に示される本考案の焦点距離調整式液晶レンズ装置１００中の配向層２０及び３０、ＩＴＯ導電層４０及び５０及び第１レンズ６０、第２レンズ７０間の組合せ構造及び方式は、上述したものに限定されるわけではなく、例えば該ＩＴＯ導電層４０及び５０と第１レンズ６０、第２レンズ７０間の組合せ構造が、ＩＴＯ導電層４０及び５０がそれぞれ該第１レンズ６０と第２レンズ７０の内層にコーティングにより形成、結合され、該配向層２０及び３０と該ＩＴＯ導電層４０及び５０間の組合せ構造が、該配向層２０及び３０が該ＩＴＯ導電層４０及び５０にコーティングにより形成され、該液晶モジュール１０及び１０’両側がさらに配向層２０及び３０に接着或いは接合されたものとされる。
【００３１】
さらに、図４、５、６を参照されたい。これらは図３に示される焦点距離調整式液晶レンズ装置１００中の二つの左右の液晶モジュール１０及び１０’の液晶１１ポリマーパラメータ測定と整合方法を示す。ただしこの方法の開示は本考案の範疇を制限するものではない。そのうち、該液晶モジュール１０及び１０’は図３の組立構造を完成する前に、それぞれグレーレベルマスク１０１の後方に単独で置かれ、このグレーレベルマスク１０１の前方に光源１０２が設置され、該光源１０２はレーザー或いは紫外光発生器とされ、グレーレベルマスク１０１に向けてレーザービーム或いは紫外光ビームを発射し、該レーザービーム或いは紫外光ビームはグレーレベルマスク１０１を透過して更に液晶モジュール１０（図４）及び１０’（図５）に照射される。また、該液晶モジュール１０及び１０’はそれぞれ図３に示されるように、両端のＩＴＯ導電層４０に結合された第１電極４１と両端のＩＴＯ導電層５０に結合された第２電極５１の間に測定電源１０３が加えられ、該測定電源１０３が液晶モジュール１０及び１０’に対して測定電圧Ｖ１及びＶ２を印加し、該グレーレベルマスク１０１及び測定電圧Ｖ１及びＶ２により図６に示される測定電圧Ｖ１及びＶ２と測定屈折率ＲＩ曲線関係が得られ、この測定電圧Ｖ１及びＶ２と測定屈折率ＲＩ間の曲線関係に基づき、図３に示されるような左右両側の液晶モジュール１０及び１０’内の液晶１１内のポリマーを規定及び整合させて、高分子分散型液晶（ＰＤＬＣ）により該液晶１１のポリマーを整合、調整し、これにより図３に示される焦点距離調整式液晶レンズ装置１００に液晶ポリマーによりもたらされる分極の欠点及び問題を解消する。
【００３２】
図７は本考案の焦点距離調整式液晶レンズ装置１００の好ましい応用例を示す。そのうち、該焦点距離調整式液晶レンズ装置１００は携帯電話４００のケース４１０内部に結合され、該焦点距離調整式液晶レンズ装置１００は第１レンズ６０により撮影した画像を第２レンズ７０を経て成像した後、携帯電話４００の画像処理集積回路４２０に出力し処理させる。該画像処理集積回路４２０内には液晶駆動回路４２１が設けられ、第１電極４１及び第２電極５１は該画像処理集積回路４２０の液晶駆動回路４２１に接続されるか或いは携帯電話４００の撮影制御回路（図示せず）に接続され、もっとも簡単な単一モジュール構造で携帯電話４００内に応用され、その他の複雑なレンズ装置モジュールを更に取り付ける必要がなく、焦点距離調整式液晶レンズ装置１００の携帯電話４００内での応用において、小体積で、取付製造に便利で、産業上の利用価値の効果を有し、且つ分極の問題を解決し、即ち図３に示される本考案の焦点距離調整式液晶レンズ装置１００の第２実施例を採用することで、更に高品質の撮影画像を提供する。
【００３３】
上述の図１から図７に示される本考案の焦点距離調整式液晶レンズ装置及びそれに関する説明及び図面は本考案の技術内容及び技術手段を明確に説明するためのもので、本考案の実施例の一部に過ぎず、その範疇を制限するものではなく、それらに基づきなしうる細部の修飾、変更、或いは等価部品への置換はいずれも本考案の請求範囲に属するものとする。
【図面の簡単な説明】
【００３４】
【図１】本考案の焦点距離調整式液晶レンズ装置の第１実施例図である。
【図２】図１の分解構造図である。
【図３】本考案の焦点距離調整式液晶レンズ装置の第２実施例図である。
【図４】図３の焦点距離調整式液晶レンズ装置の左側液晶モジュールに対してグレーレベルマスクを通して液晶ポリマーの状態を測定及びアライメントする方法を示す断面拡大図である。
【図５】図３の焦点距離調整式液晶レンズ装置の左側液晶モジュールに対してグレーレベルマスクを通して液晶ポリマーの状態を測定及びアライメントする方法を示す断面拡大図である。
【図６】図４及び図５中の測定電圧と測定屈折率の曲線関係図である。
【図７】本考案の好ましい応用例図である。
【符号の説明】
【００３５】
１００  焦点距離調整式液晶レンズ装置    １０、１０’  液晶モジュール
１１  液晶                              ２０、３０  配向層
４０、５０  ＩＴＯ導電層                ４１  第１電極
５１  第２電極                          ６０  第１レンズ
７０  第２レンズ                        ８０  中央透明基板
１０１  グレーレベルマスク              １０２  光源
１０３  測定電源                        Ｖ１、Ｖ２  測定電圧
ＲＩ  測定屈折率              ２００、３００  直流電源供給ユニット
４００  携帯電話                        ４１０  ケース
４２０  画像処理集積回路                ４２１  液晶駆動回路
【図１】
0003139535.tif 000003
【図２】
0003139535.tif 000004
【図３】
0003139535.tif 000005
【図４】
0003139535.tif 000006
【図５】
0003139535.tif 000007
【図６】
0003139535.tif 000008
【図７】
0003139535.tif 000009